(57)【要約】【課題】製造コストの低減、並びに取扱い操作性の向上などを図る。【解決手段】転写テープ１２を巻装させる供給リール４と巻取リール５を支持体１に設け、前記支持体１をテープケース１６に内設させる転写テープ具において、前記転写テープ１２を案内するテープヘッド１１を前記支持体１に設けると共に、前記テープケース１６に支持体１を摺動自在に内設させ、テープケース１６の開口１７からテープヘッド１１を進出させたり退入させるように構成したことを特徴とする。【選択図】      図４
2004174955.tif 000002
【特許請求の範囲】
【請求項１】
転写テープを巻装させる供給リールと巻取リールを支持体に設け、前記支持体をテープケースに内設させる転写テープ具において、前記転写テープを案内するテープヘッドを前記支持体に設けると共に、前記テープケースに支持体を摺動自在に内設させ、テープケースの開口からテープヘッドを進出させたり退入させるように構成したことを特徴とする転写テープ具。
【請求項２】
支持体を摺動させてテープヘッドを進出させる操作体を支持体に設け、テープケースの外側に前記操作体を突出させると共に、テープヘッドを突出させた状態に係止させるロック体と、テープヘッドを退入させるバネを設けることを特徴とする転写テープ具。
【発明の詳細な説明】
【０００１】
【発明の属する技術分野】
本発明は例えば紙面の文字などの表面に不透明膜を転写して消す修正テープ、または糊を転写する糊付テープなどの転写テープを内蔵させる転写テープ具に関する。
【０００２】
【従来の技術】
従来、転写テープを巻装させる供給リールと巻取リールを支持体に設け、前記支持体をテープケースに内設させる転写テープ具がある。（例えば、特許文献１参照）
【０００３】
【特許文献１】特開２０００−２１１７９９
【０００４】
【発明が解決しようとする課題】
前記従来技術は、転写テープを案内するテープヘッドをテープケースから常に突出させていたから、テープヘッドを覆うキャップを設ける必要がある等の製造コスト上の問題があると共に、前記キャップを取外したり摺動させてテープヘッドを露出させる操作を行う必要がある等の操作上の問題がある。また、キャップを取外したときに紛失し易い不具合もある。
【０００５】
【課題を解決するための手段】
然るに、本発明は、請求項１に示す如く、転写テープを巻装させる供給リールと巻取リールを支持体に設け、前記支持体をテープケースに内設させる転写テープ具において、前記転写テープを案内するテープヘッドを前記支持体に設けると共に、前記テープケースに支持体を摺動自在に内設させ、テープケースの開口からテープヘッドを進出させたり退入させるように構成したもので、テープケースの内部にテープヘッドを退入させることにより、不使用（保管）時に転写テープまたはテープヘッドなどが損傷するのを防止し得、テープヘッドを覆う従来のキャップを不要にし、キャップの脱着または摺動などの操作を省き得、脱着によってキャップを紛失する等の不具合もなくし得ると共に、テープヘッドを支持体に設けることにより、テープヘッドを出入させてもテープヘッドと前記各リール間の距離を略一定に保ち得、転写テープの張力を殆んど変化させることなくテープヘッドの出入を行い得、製造コストの低減、並びに取扱い操作性の向上などを容易に図り得るものである。
【０００６】
また、請求項２に示す如く、支持体を摺動させてテープヘッドを進出させる操作体を支持体に設け、テープケースの外側に前記操作体を突出させると共に、テープヘッドを突出させた状態に係止させるロック体と、テープヘッドを退入させるバネを設けるもので、前記テープヘッドの出入を操作体によって行うから、テープヘッドを指で握って出入させる操作などを不要にし、指が転写テープに接触して損傷させる等の不具合をなくし得ると共に、バネによってテープヘッドを退入動作させるから、テープヘッドを押込む操作などを不要にし、テープヘッドの押込によって転写テープを損傷させる等の不具合をなくし得、取扱い操作性の向上などを容易に図り得るものである。
【０００７】
【発明の実施の形態】
以下、本発明の実施例を図面に基づいて詳述する。図１は全体の正面図、図２は同側面図、図３は断面正面図、図４は断面側面図であり、合成樹脂製の平板形の支持体１に２本のリール軸２・３を一体形成し、供給リール４と巻取リール５を各リール軸２・３に回転自在に軸支させ、各リール４・５に一体形成するプーリ６・７に０リンク形ゴムベルト８を張設させ、ベルト８を介して各リール４・５を連動して回転させる。
【０００８】
また、前記支持体１の両面にスライドガイド９・１０を一体形成し、一方のガイド１０にテープヘッド１１を一体形成し、紙面などに不透明な塗料（または糊）を塗着させる転写テープ１２を供給リール４に巻装させ、転写テープ１２をテープヘッド１１によって紙面などに圧着させて塗料（または糊）を装着させ、塗料（または糊）を塗着後の転写テープ１２を巻取らせ、紙面の文字などの修正（または封筒の糊付）を行うように構成している。
【０００９】
さらに、２つ割面１３を介してケース本体１４・１５を合体させて合成樹脂製のテープケース１６を形成し、前記スライドガイド９・１０の案内によって摺動自在に支持体１をテープケース１６に内設させると共に、前記テープヘッド１１を出入させる開口１７をケース１６下側に形成し、ケース１６上側に出入自在に突出させる押ボタン１８を支持体１の上部に一体形成し、また前記ケース１６内部にテープヘッド１１を退入させるバネ１９を支持体１の下部に弾圧させ、前記ケース１６を握った手の指で押ボタン１８を押すことにより、バネ１９に抗して支持体１を摺動させ、図５乃至図７に示す如く、ケース１の開口１７からテープヘッド１１を進出させるように構成している。
【００１０】
また、前記支持体１にフック２０を一体形成し、テープヘッド１１がケース１６から突出した使用状態でケース本体１５の突起２１に前記フック２０を係合させ、フック２０と突起２１の係合により、バネ１９に抗してテープヘッド１１がケース１６から突出した使用状態を維持させ、転写テープ１２の塗料（または糊）を紙面などに塗着させる操作を行うと共に、前記ケース本体１５に解除ボタン２２を一体形成し、図７のように、テープヘッド１１がケース１６から突出した状態下で、解除ボタン２２を指で押込むことにより、解除ボタン２２がフック２０に当接し、フック２０を突起２１から離脱させ、バネ１９によって支持体１を摺動させ、図４のようにテープヘッド１１をケース１６内部に退入させるように構成している。
【００１１】
上記から明らかなように、転写テープ１２を巻装させる供給リール４と巻取リール５を支持体１に設け、前記支持体１をテープケース１６に内設させる転写テープ具において、前記転写テープ１２を案内するテープヘッド１１を前記支持体１に設けると共に、前記テープケース１６に支持体１を摺動自在に内設させ、テープケース１６の開口１７からテープヘッド１１を進出させたり退入させるように構成する。そして、テープケース１６の内部にテープヘッド１１を退入させることにより、不使用（保管）時に転写テープ１２またはテープヘッド１１などが損傷するのを防止し、テープヘッド１１を覆う従来のキャップを不要にし、キャップの脱着または摺動などの操作を省き、脱着によってキャップを紛失する等の不具合もなくすと共に、テープヘッド１１を支持体１に設けることにより、テープヘッド１１を出入させてもテープヘッド１１と前記各リール４・５間の距離を略一定に保ち、転写テープ１２の張力を殆んど変化させることなくテープヘッド１１の出入を行い、製造コストの低減、並びに取扱い操作性の向上などを図る。
【００１２】
また、支持体１を摺動させてテープヘッド１１を進出させる操作体である押ボタン１８を支持体１に設け、テープケース１６の外側に前記押ボタン１８を突出させると共に、テープヘッド１１を突出させた状態に係止させるロック体であるフック２０と、テープヘッド１１を退入させるバネ１９を設け、前記テープヘッド１１の出入を押ボタン１８によって行い、テープヘッド１１を指で握って出入させる操作などを不要にし、指が転写テープ１２に接触して損傷させる等の不具合をなくすと共に、バネ１９によってテープヘッド１１を退入動作させ、テープヘッド１１を押込む操作などを不要にし、テープヘッド１１の押込によって転写テープ１２を損傷させる等の不具合をなくし、取扱い操作性の向上などを図る。
【００１３】
さらに、図８、図９示す如く、支持体１を摺動させてテープヘッド１１をテープケース１６から出入させる操作体を、押ボタン１８に代え、スライドボタン２３によって形成してもよく、支持体１にスライドボタン２３を一体形成し、スライドボタン２３に退入フック２４と進出フック２５を一体形成し、図８のように、テープケース１６の退入突起２６に退入フック２４を弾性係合させ、スライドボタン２３の摺動操作によりテープヘッド１１を退入支持させる一方、図９のように、テープケース１６の進出突起２７に進出フック２５を弾性係合させ、スライドボタン２３の摺動操作によりテープヘッド１１を進出支持させてもよい。
【００１４】
また、図１０に示す如く、リール４・５取付け側の支持体１を内設させる上ケース２８とテープヘッド１１を内設させる下ケース２９とに、テープケース１６を分割して形成し、上下のケース２８・２９を三条ネジ形の送りネジ３０によって伸縮自在に形成し、上下ケース２８・２９の回転操作によってテープケース１６の長さを変更させ、ケース１６の伸張によってテープヘッド１１を退入させる一方、ケース１６の縮少によってテープヘッド１１を進出させてもよい。
【００１５】
【発明の効果】
以上実施例から明らかなように本発明は、請求項１に示す如く、転写テープ１２を巻装させる供給リール４と巻取リール５を支持体１に設け、前記支持体１をテープケース１６に内設させる転写テープ具において、前記転写テープ１２を案内するテープヘッド１１を前記支持体１に設けると共に、前記テープケース１６に支持体１を摺動自在に内設させ、テープケース１６の開口１７からテープヘッド１１を進出させたり退入させるように構成したもので、テープケース１６の内部にテープヘッド１１を退入させることにより、不使用（保管）時に転写テープ１２またはテープヘッド１１などが損傷するのを防止でき、テープヘッド１１を覆う従来のキャップを不要にし、キャップの脱着または摺動などの操作を省くことができ、脱着によってキャップを紛失する等の不具合もなくすことができると共に、テープヘッド１１を支持体１に設けることにより、テープヘッド１１を出入させてもテープヘッド１１と前記各リール４・５間の距離を略一定に保つことができ、転写テープ１２の張力を殆んど変化させることなくテープヘッド１１の出入を行うことができ、製造コストの低減、並びに取扱い操作性の向上などを容易に図ることができるものである。
【００１６】
また、請求項２に示す如く、支持体１を摺動させてテープヘッド１１を進出させる操作体１８を支持体１に設け、テープケース１６の外側に前記操作体１８を突出させると共に、テープヘッド１１を突出させた状態に係止させるロック体２０と、テープヘッド１１を退入させるバネ１９を設けるもので、前記テープヘッド１１の出入を操作体１８によって行うから、テープヘッド１１を指で握って出入させる操作などを不要にし、指が転写テープ１２に接触して損傷させる等の不具合をなくすことができると共に、バネ１９によってテープヘッド１１を退入動作させるから、テープヘッド１１を押込む操作などを不要にし、テープヘッド１１の押込によって転写テープ１２を損傷させる等の不具合をなくすことができ、取扱い操作性の向上などを容易に図ることができるものである。
【図面の簡単な説明】
【図１】全体の正面図。
【図２】同側面図。
【図３】断面正面図。
【図４】断面側面図。
【図５】使用状態の正面図。
【図６】同断面正面図。
【図７】同断面側面図。
【図８】変形例を示す断面正面図。
【図９】前図の使用状態の正面図。
【図１０】変形例を示す断面正面図。
【符号の説明】
１    支持体
４    供給リール
５    巻取リール
１１  テープヘッド
１２  転写テープ
１６  テープケース
１７  開口
１８  押ボタン（操作体）
１９  バネ
２０  フック（ロック体）
【図１】
2004174955.tif 000003
【図２】
2004174955.tif 000004
【図３】
2004174955.tif 000005
【図４】
2004174955.tif 000006
【図５】
2004174955.tif 000007
【図６】
2004174955.tif 000008
【図７】
2004174955.tif 000009
【図８】
2004174955.tif 000010
【図９】
2004174955.tif 000011
【図１０】
2004174955.tif 000012